(57)【特許請求の範囲】
【請求項１】
回路基板に搭載された電気部品を有する感知回路と、ケースに設けられた周壁およびこの周壁に取り付けられた裏カバーを有し、上記感知回路を収納する回路収納空間を形成する感知器本体と、上記ケースに設けられて上記周壁との間に間隙を形成する端子支持部およびこの端子支持部に支持された端子金具および接触ばねを有し、上記感知回路に外部回路を接続するための電線接続部とを備えた火災感知器に於いて、
上記裏カバーは、上記周壁と上記端子支持部との間の間隙にきっちりと差込まれて嵌合する嵌合部を備えたことを特徴とする火災感知器。
【請求項２】
上記嵌合部は上記裏カバーに剛体的に取り付けられてなることを特徴とする請求項１記載の火災感知器。
【請求項３】
上記端子金具は、上記周壁に設けられた切欠と、上記裏カバーに設けられた切欠とにより固定支持されたことを特徴とする請求項１あるいは２記載の火災感知器。
【請求項４】
上記裏カバーは、裏面に補強リブを備えたことを特徴とする請求項１ないし３のいずれか記載の火災感知器。
【発明の詳細な説明】
【０００１】
【発明の属する技術分野】
この発明は、感知回路を収納する回路収納空間が感知器本体の周壁と裏カバーとで構成され、外部回路との電気的接続のための電線接続部を備えた火災感知器に関するものである。
【０００２】
【従来の技術】
従来、火災感知器は、回路基板に搭載された電気部品を有する感知回路を備え、感知器ケースは、ケースに設けられた周壁とこの周壁に取り付けられる裏カバーとにより回路収納空間を形成して、この中に感知回路を収納して塵埃や水分から保護するようにしてある。感知回路は、ケースに一体に形成された端子支持部と接触ばねにより押圧された端子金具とを有する電線接続部により外部回路に接続できるようにしてある。
【０００３】
このような従来の火災感知器に於いては、感知回路を収納した回路収納空間が裏カバーによって覆われているため、感知回路を結露水や塵埃から保護することができる点で優れている。
【０００４】
【発明が解決しようとする課題】
しかしながらこのような従来の火災感知器に於いて、電線接続部に接続された信号線が天井方向から上向きに引っ張られると、電線接続部の端子金具、各端子金具の接続端子に半田付けされた回路基板、回路基板をケースに固定している裏カバーに上向きの力が加えられる。そのため、信号線を保持している端子金具と接触ばねの間に隙間を生じ、信号線が電線接続部から抜けて外れてしまうという問題があった。
【０００５】
この発明は上述のような課題を解決するためになされたもので、その目的は裏カバーの剛性が高く、電線接続部に接続された信号線により上向きの力が加えられても、電線接続部から外れにくい火災感知器を得ることである。
【０００６】
【課題を解決するための手段】
（１）この発明の火災感知器は、回路基板に搭載された電気部品を有する感知回路と、ケースに設けられた周壁およびこの周壁に取り付けられた裏カバーを有し、感知回路を収納する回路収納空間を形成する感知器本体と、ケースに設けられて周壁との間に間隙を形成する端子支持部およびこの端子支持部に支持された端子金具および接触ばねを有し、感知回路に外部回路を接続するための電線接続部とを備えた火災感知器に於いて、裏カバーは、周壁と端子支持部との間の間隙にきっちりと差込まれて嵌合する嵌合部を備えたことを特徴とするものである。従って、裏カバーの剛性が高くなり、電線接続部に接続された信号線に上向きの力が加えられても、電線接続部から容易には外れない。
【０００７】
（２）嵌合部は裏カバーに剛体的に取り付けられているのが良い。
【０００８】
（３）端子金具は、周壁に設けられた切欠と、裏カバーに設けられた切欠とにより固定支持されていても良い。
【０００９】
（４）裏カバーは、裏面に補強リブを備えていても良い。
【００１０】
【発明の実施の形態】
図１はこの発明の実施の形態１に係る火災感知器の構成を示す断面図である。図２はこの発明の実施の形態１に係る火災感知器を示す構成図であり、図２（ａ）はその下面図、図２（ｂ）は側面図である。図３（ａ）はこの発明の実施の形態に係るベースを取り外した火災感知器の本体を示す上面図であり、図３（ｂ）は裏カバーの要部破断斜視図である。
【００１１】
これらの図に於いて、本発明の火災感知器は、建物の天井等に取り付けられるベース１と、ベース１に着脱式に取り付けられたケース２とで構成されたハウジングである感知器本体１２を備えている。感知器本体１２内には、ケース２に設けられた周壁２ｄと、この周壁２ｄに取り付けられた裏カバー９とが設けられていて内部に回路収納空間１４が形成されている。この回路収納空間１４内には、回路基板３に搭載された電気部品４、５９等を有する感知回路１３が収納されている。火災感知器は更に、感知器本体１２に設けられ、端子支持部２ｇおよびこの端子支持部２ｇに支持された端子金具２８および接触ばね２９を有し、感知回路１３に外部回路（図示してない）を接続するための電線接続部１０が設けられている。電線接続部１０は周壁２ｄの外側にあって、その端子支持部２ｇと周壁２ｄとの間に間隙１５が形成されている。
【００１２】
裏カバー９は、裏面に補強リブ９０（図３ａ）を備え、図１に示すように裏カバー９の一辺部に剛体的に取り付けられた張り出し部である嵌合部１６を持ち、この嵌合部１６は周壁２ｄと端子支持部２ｇとの間の間隙１５に密接に当接して挟持されている。換言すれば、嵌合部１６は、間隙１５内にきっちりと差込まれて嵌合している。周壁２ｄの内側側面に内接するように凸部が裏カバー９の周囲に設けられていて、この凸部と嵌合部１６とで周壁２ｄを挟持している。これにより、裏カバー９と周壁２ｄとの摩擦力が発生する。また、端子装置である電線接続部１０の端子金具２８は、周壁２ｄに設けられた切欠２ｆ（図４）と、裏カバー９に設けられた切欠９ｆ（図３ｂ）とにより固定支持されている。
【００１３】
図３ｂの破断斜視図で示すように、裏カバー９の嵌合部１６は端子金具２８を受け入れて貫通させる切欠９ｆの両側で、裏カバー９の周縁部のフランジ９ｇに一体に設けられた互いに離間して平行に延びた４本のリブ１６ａを備えている。リブ１６ａの高さ寸法、即ちフランジ９ｇの厚みを含めたリブ１６ａのフランジ９ｇから突出した寸法は先に述べた周壁２ｄと端子支持部２ｇとの間の間隙１５の幅寸法とほぼ同じ寸法である。リブ１６ａの長さ寸法、即ちフランジ９ｇの高さ方向の寸法は図１に示すように間隙１５に嵌合するのに充分な長さである。リブ１６ａの裏カバー９の表面側の各端部は、隔壁１６ｂによって繋げられていて、裏カバー９の表面よりも僅かに寸法Ｈだけ長くなっている。この隔壁１６ｂはリブ１６ａと協働して切欠９ｆを囲んでいる。このため、組み立てられた火災感知器に於いて切欠９ｆに挿入された端子金具２８の接続端子に結露水や塵埃が触れることがないようにされている。
【００１４】
本発明の火災感知器の詳細を更に説明すると、図１乃至図３において、回路基板３はケース２の内底面の中心部を囲むように巡らされた周壁２ｄで構成される回路収納空間１４内に収納され、固定ねじ８でケース２に締着固定された裏カバー９により保護されている。また、裏カバー９は、図３ｂに示すような切欠９ｆを有している。また、裏カバー９の嵌合部１６は、端子支持部２ｇと周壁２ｄとの間の隙間１５内に嵌合していて、端子支持部２ｇと周壁２ｄとに密接に当接し、かつ、挟持されている。また、裏カバー９は、補強リブ９０を有し、剛性を高めている。
【００１５】
図４はこの発明の実施の形態に係る火災感知器に適用されるケースを示す上面図、図５は図４のＶ―Ｖ矢視断面図、図６は図４のＶＩ―ＶＩ矢視断面図、図７は図４のＶＩＩ―ＶＩＩ矢視断面図である。図４乃至図７に於いて、周壁２ｄが環状壁２ｃを内包しながら電線接続部１０を避けるようにケース２の内底面に突設され、係止片２ｅが周壁２ｄの環状壁２ｃに対向する辺の上端部から内周側に突設され、さらに一対の切欠２ｆが周壁２ｄの環状壁２ｃに隣接する辺の上端部に、電線接続部１０の間を２等分する中心線に対して左右対称に設けられている。また、電線接続部１０の端子支持部２ｇが、ケース２の外周に対して偏心して設けられた周壁２ｄの環状壁２ｃに隣接する辺の外周側に、中心穴２ａと挿通孔６ａとを通る中心線に対して左右対称な位置にケース２の内底面に突設されている。
【００１６】
図８はこの発明の実施の形態１に係る火災感知器に適用される端子金具の構成を説明する図であり、図８の（ａ）はその上面図、図８の（ｂ）はその側面図である。
【００１７】
図９はこの発明の実施の形態１に係る火災感知器に適用される接触ばねの構成を説明する図であり、図９の（ａ）はその上面図、図９の（ｂ）は図９の（ａ）のＸＩＩＩｂ−ＸＩＩＩｂ矢視断面図である。
【００１８】
図１０はこの発明の実施の形態１に係る火災感知器に適用される端子カバーの構成を説明する図であり、図１０の（ａ）はその上面図、図１０の（ｂ）はその正面図、図１０の（ｃ）はその背面図である。電線接続部１０は、端子支持部２ｇ、端子金具２８、接触ばね２９、端子カバー３０から構成されている。
【００１９】
感知器本体を組立る場合には、まず、電気部品の一例であるサーミスタ４が中心穴２ａ内に挿入される。そして、回路基板３には各回路部品が実装され、回路基板３がその外周縁部を係止片２ｅに掛け、サーミスタ４のリード部４ａを回路基板３に穿設された挿通孔４ｂを通して環状壁２ｃの上端に押し当てられる。同時に、確認灯６が挿通孔６ａに挿通されてケース２に装着される。
【００２０】
ついで、端子カバー３０がその係止穴３０ｃ、３０ｄに端子金具２８を挿入して端子金具２８に装着される。さらに、接触ばね２９が端子支持部２ｇ内に収納され、端子金具２８は、基部２８ａが端子支持部２ｇ上に配置される。そして、端子金具２８の接続端子２８ｃ、サーミスタ４のリード部４ａが回路基板３に半田付けされる。
【００２１】
その後、裏カバー９が周壁２ｄ上に載置され、固定ねじ８をケース２に締着して裏カバー９が取り付けられる。これにより、回路基板３は係止片２ｅと環状壁２ｃと裏カバー９とによりケース２に固定される。そして、端子金具２８は、接続端子２８ｃが周壁２ｄに設けられた切欠２ｆおよび裏カバー９に設けられた切欠９ｆから延出され、基部２８ａが端子支持部２ｇ上に配置されている。さらに、固定ねじ３１が固定端子２８ｄに穿設された貫通穴２８ｅに通されてケース２に締着されて、感知器本体１２が組み立てられる。
【００２２】
このように構成された火災感知器を取り付けるには、まず、ベース１が図示しない取付ねじにより天井（図示してない）に取り付けられる。ついで、感知器本体１２をベース１近傍に持って行き、図１１ｂに示す信号線５８を信号線差込孔３０ｂから各電線接続部１０に挿入する。この時、信号線５８の挿入前の状態では、各電線接続部１０は、図１１の（ａ）に示されるように、接触ばね２９の接触片２９ａ、２９ｂが端子金具２８の基部２８ａに当接されている。そして、図１１の（ｂ）に示されるように、信号線５８は信号線差し込み方向に曲げられた接触ばね２９の接触片２９ａ、２９ｂをさらに押し曲げて挿入され、接触片２９ａ、２９ｂのバネ力により端子金具２８の基部２８ａとの間に電気的接触状態で挟持される。
【００２３】
ここで、電線接続部１０に接続された信号線５８が天井方向から上向きに引っ張られると、端子金具２８、各端子金具２８の接続端子２８ｃと半田付けされた回路基板３，回路基板３をケース２に固定している裏カバー９に上向きの力が加わり、端子金具２８と接触ばね２９の間、ケース２の周壁２ｄと裏カバー９の間に隙間を生じさせようとする。つまり、接続端子２８ｃを押さえている裏カバー９を押し上げようとするが、周壁２ｄと密接に当接している嵌合部１６に摩擦力による、上向きの力に対する抵抗力が発生する。また、裏カバー９の嵌合部１６は、端子支持部２ｇと周壁２ｄにより挟持されているので、更に上向きの力に対する抵抗力が増し、端子金具２８と接触ばね２９の間に隙間を生じなくなり、信号線５８が電線接続部１０より抜けない。
【００２４】
また、裏カバー９は、補強リブ９０を有し、剛性を高めていて、外部からの力に対して、撓み、歪みの発生をおさえているので、信号線５８が電線接続部１０から抜けないことを補強する。
【００２５】
また、電線接続部１０、裏カバー９の嵌合部１６および周壁２ｄが密接に当接し、かつ、回路基板３に接続された端子金具２８の接続端子２８ｃは、周壁２ｄの切欠２ｆおよび裏カバー９の切欠９ｆにより固定されているので、端子金具２８の接続端子２８ｃと接触ばね２９の左右のずれを生じなくなり、信号線５８が電線接続部１０から抜けないことを補強する。
【００２６】
また、この発明の実施形態では、電線接続部１０は差込端子方式であるが、端子装置がねじ締着方式の場合にも適用できる。さらに、火災感知器は、電気部品の一例であるサーミスタ等の熱感知手段を用いた熱感知器としたが、煙・炎感知器等として構成することもできる。
【００２７】
【発明の効果】
この発明は、以上のように構成されているので、以下に記載されるような効果を奏する。
【００２８】
（１）この発明の火災感知器は、回路基板に搭載された電気部品を有する感知回路と、ケースに設けられた周壁およびこの周壁に取り付けられた裏カバーを有し、感知回路を収納する回路収納空間を形成する感知器本体と、ケースに設けられて周壁との間に間隙を形成する端子支持部およびこの端子支持部に支持された端子金具および接触ばねを有し、感知回路に外部回路を接続するための電線接続部とを備えた火災感知器に於いて、裏カバーは、周壁と端子支持部との間の間隙にきっちりと差込まれて嵌合する嵌合部を備えている。従って、裏カバーの剛性が高く、電線接続部に接続された信号線に上向きの力が加えられても、電線接続部から外れにくい火災感知器を得ることができる。
【００２９】
（２）嵌合部を上記裏カバーに剛体的に取り付けることができるので、
裏カバーと嵌合部との間のの剛性を更に高めて信号線が電線接続部からより外れにくくできる。
【００３０】
（３）端子金具は、周壁に設けられた切欠と、裏カバーに設けられた切欠とにより固定支持することができるので、端子金具がより強固に固定され、信号線からの外力による移動を防ぐことができる。
【００３１】
（４）裏カバーは、補強リブを備えたものとできるので、裏カバー自体の剛性が更に高くなり、信号線に力が加えられても、信号線が電線接続部から外れにくくなる。
【図面の簡単な説明】
【図１】  この発明の火災感知器の構成を示す断面図である。
【図２】  この発明の実施の形態に係る火災感知器を示す構成図である。
【図３】  この発明の実施の形態に係る火災感知器のベースを取り外した感知器本体を示す構成図である。
【図４】  この発明の実施の形態に係る火災感知器に適用されるケースの構成を説明する平面図である。
【図５】  図４のＶ−Ｖ矢視断面図である。
【図６】  図４のＶＩ−ＶＩ矢視断面図である。
【図７】  図４のＶＩＩ−ＶＩＩ矢視断面図である。
【図８】  この発明の火災感知器に適用される端子金具の構成を説明する図である。
【図９】  この発明の火災感知器に適用される接触ばねの構成を説明する図である。
【図１０】  この発明の火災感知器に適用される端子カバーの構成を説明する図である。
【図１１】  この発明の火災感知器に適用される電線接続部による信号線の装着動作を説明する図である。
【符号の説明】
１  ベース、２  ケース、２ｄ  周壁、２ｆ、９ｆ  切欠、２ｇ  端子支持部、３  回路基板、４、５９  電気部品、９  裏カバー９、１０  電線接続部、１２  感知器本体、１３  感知回路、１４  回路収納空間、１５  間隙、１６  嵌合部、２８  端子金具、５８  信号線、９０  補強リブ。
【図１】
0003699891.tif 000002
【図２】
0003699891.tif 000003
【図３】
0003699891.tif 000004
【図４】
0003699891.tif 000005
【図５】
0003699891.tif 000006
【図６】
0003699891.tif 000007
【図７】
0003699891.tif 000008
【図８】
0003699891.tif 000009
【図９】
0003699891.tif 000010
【図１０】
0003699891.tif 000011
【図１１】
0003699891.tif 000012